(57)【要約】【課題】踏み段とスカートガードパネルとの隙間に衣服などの薄いものが挟まれないように構成した乗客コンベアを提供する。【解決手段】複数の踏み段を無端状に連結して帯状に構成され、この帯状の長さ方向に駆動される搬送体を有し、この搬送体の両側にそれぞれ立設され、搬送体の長さ方向に沿ってスカートガートパネルが配置される。このスカートガートパネルの、搬送体の上面より上方に、この搬送体の全長に渡って挟まれ防止装置を設け、この搬送体の側面とスカートガイドパネルとの間に生じる隙間を遮蔽体で覆う。  【選択図】図１
2019094152.tif 000002
【特許請求の範囲】
【請求項１】
複数の踏み段を無端状に連結して帯状に構成され、この帯状の長さ方向に駆動される搬送体と、
この搬送体の両側にそれぞれ立設され、それぞれ前記搬送体の長さ方向に沿って配置されるスカートガートパネルと、
このスカートガートパネルの、前記搬送体の上面より上方に、この搬送体の全長に渡って設けられ、この搬送体の側面と前記スカートガートパネルとの間の隙間を覆う遮蔽体を有する挟まれ防止装置と、
を備えたことを特徴とする乗客コンベア。
【請求項２】
前記遮蔽体は、上端部が前記スカートガードパネルに取付けられ、下端部が前記搬送体の側部上面に接する弾性体であることを特徴とする請求項１に記載の乗客コンベア。
【請求項３】
前記遮蔽体は、前記スカートガードパネルに取付けられた吹き出し部から前記搬送体の側部上面に吹き付けるエアカーテン状の気体であることを特徴とする請求項１に記載の乗客コンベア。
【請求項４】
前記遮蔽体は、上端部が前記スカートガードパネルに取付けられ、下端部の側面が、前記隙間内において前記搬送体の側面に接するように配置された弾性体であることを特徴とする請求項１に記載の乗客コンベア。
【発明の詳細な説明】
【技術分野】
【０００１】
本発明の実施形態は、エスカレータや動く歩道のように乗客を乗せて移動する搬送体を備えた乗客コンベアに関する。
【背景技術】
【０００２】
複数の踏み段を無端状に連結して搬送体を構成し、この搬送体をその長さ方向に駆動することで、搬送体上に乗った乗客を、目的地まで搬送する乗客コンベアが知られている。この乗客コンベアの一種であるエスカレータは、周知のように複数の無端状に連結された搬送体を、上下階間に階段状に配置し、この搬送体を上昇または下降運転することで、乗客を上階又は下階に搬送している。
【０００３】
このようなエスカレータでは、搬送体の両側に、その長さ方向（搬送方向でもある）に沿って、スカートガートと称されるパネルがそれぞれ立設されている。このスカートガートパネルの下部内面（搬送体側に向いた面）と、搬送体を構成する踏み段の側面との間には隙間が設けられ、搬送体を構成する各踏み段が、搬送方向に向って自由に移動できるように構成されている。
【０００４】
上述の隙間には、踏み段上の乗客から落下したカード類のような薄手の小物や、乗客の衣服等のような厚さが薄いものが挟み込まれるリスクが存在する。特に、エスカレータを下り運転している場合、踏み段上の乗客の衣服、例えば、ロングスカートの裾やパンタロンの裾などが、後続の踏み段上にかかっていると、水平部の走行から下り傾斜部の走行に移った際、後続の踏み段にかかっていた部分が自踏み段上に移る際、乗客が意識しないまま横方向に曲がり、上述した隙間内に挟み込まれる可能性がある。
【０００５】
このように、エスカレータのスカートガードパネルと踏み段の側面との間には隙間があり、その隙間に衣服等が挟み込まれるリスクがある
【０００６】
これまでのエスカレータ等における挟まれ防止装置では、スカートガードパネルの摩擦係数を低減し、被挟まれ物の巻き込みを低減させるものや、挟まれ部へ到達することを抑止するものがあった。しかし、挟まれ部（隙間の開溝部）自体は露出しており、被挟まれ物が挟まれ部に到達することは可能であり、挟まれのリスクは依然として残っていた。
【先行技術文献】
【特許文献】
【０００７】
【特許文献１】特開２００３−７３０６６号公報
【発明の概要】
【発明が解決しようとする課題】
【０００８】
本発明は、踏み段とスカートガードパネルとの隙間に衣服などの薄いものが挟まれないように構成した乗客コンベアを提供することにある。
【課題を解決するための手段】
【０００９】
本発明の実施の形態に係る乗客コンベアは、複数の踏み段を無端状に連結して帯状に構成され、この帯状の長さ方向に駆動される搬送体と、この搬送体の両側にそれぞれ立設され、それぞれ前記搬送体の長さ方向に沿って配置されるスカートガートパネルと、このスカートガートパネルの、前記搬送体の上面より上方に、この搬送体の全長に渡って設けられ、この搬送体の側面と前記スカートガートパネルとの間の隙間を覆う遮蔽体を有する挟まれ防止装置とを備えたことを特徴とする。
【００１０】
上記構成によれば、搬送体の側面とスカートガートパネルとの間の隙間を、挟まれ防止装置の遮蔽体で覆うので、衣服などの薄いものが隙間に挟まれることがなく利用者の安全性が確保される。
【図面の簡単な説明】
【００１１】
【図１】本発明の一実施形態に係る乗客コンベアを示しており、（ａ）は隙間部分を示す正面図、（ｂ）は挟まれ防止装置部分を示す側面図である。
【図２】他の実施形態に係る乗客コンベアを示しており、（ａ）は隙間部分を示す正面図、（ｂ）は挟まれ防止装置部分を示す側面図である。
【図３】さらに他の実施形態に係る乗客コンベアを示しており、（ａ）は隙間部分を示す正面図、（ｂ）は挟まれ防止装置部分を示す側面図である。
【発明を実施するための形態】
【００１２】
以下、本発明の実施の形態について、図面を参照して詳細に説明する。この実施の形態では、乗客コンベア１１としてエスカレータを例示し、説明を進める。
【００１３】
エスカレータ１１は、図１（ｂ）で示すように、複数の踏み段１２を無端状に連結して帯状の搬送体１３を構成している。この帯状の搬送体１３は、図示しない周知の駆動機構により、搬送方向でもある長さ方向（図１（ｂ）の斜め上下方向）に駆動され、踏み段１２上の乗客（利用者とも呼ぶ）１５を所定の目的地（上階又は下階）へ搬送する。
【００１４】
この搬送体１３の両側、すなわち、踏み段１２の側面との対向部には、図１（ａ）で示すように、スカートガートパネル１６がそれぞれ立設され、それぞれ搬送体１３の長さ方向（搬送方向）に沿って配置されている。このスカートガートパネル１６の、搬送体１３の上面より上方に、この搬送体１３の全長に渡って挟まれ防止装置１８が設けられている。
【００１５】
この挟まれ防止装置１８は、搬送体１３の側面、すなわち、踏み段１２の側面と、スカートガートパネル１６との間に生じた隙間ｘを覆う遮蔽体１９を有する。図１の実施形態では、遮蔽体１９の一例として、図１（ａ）で示すように、上端部がスカートガードパネル１６にホルダー２０によって取付けられ、下端部が搬送体１３を構成する踏み段１２の側部近傍の上面に接する弾性体（ブラシ等）１９１を用いる。
【００１６】
すなわち、挟まれ防止装置１８は、スカートガートパネル１６から踏み段１２上に向かって下向きに伸び、その下端が踏み段１２上に当接するように配置された弾性体（ブラシ等）１９１と、その上端部をスカートガードパネル１６に固定するホルダー２０とから構成される。
【００１７】
上記の構成から、弾性体（ブラシなど）１９１により、利用者１５の、挟まれ部（隙間ｘ）への接触を防ぐことができ、エスカレータ利用者１５の安全性を向上できる。すなわち、前述したように、隙間ｘには、従来、踏み段１２上の乗客１５から落下したカード類のような薄手の小物や、乗客１５の衣服等のような厚さが薄いものが挟み込まれるリスクが存在していた。特に、エスカレータを下り運転している場合、踏み段１２上の乗客１５の衣服の裾などが、水平方向移動時に後続の踏み段上にかかっていると、下り傾斜部の走行に移った際、乗客１５が意識しないまま、上述の裾部分が隙間ｘ内に挟み込まれる可能性があった。
【００１８】
しかし、この実施形態では、挟まれ防止装置１８の、ブラシなどの弾性体１９１からなる遮蔽体１９が、隙間ｘを覆うように設置されているため、利用者１５の裾部が、隙間ｘに向かって移動しようとしても、この遮蔽体１９により移動が阻止される。すなわち、挟まれ部（隙間ｘ）への接触を防ぐことができ、エスカレータ利用者１５の安全性を確保できる。
【００１９】
上記実施の形態では、遮蔽体１９としてブラシなどの弾性体１９１を例示したが、これに限定されるものではない。
【００２０】
例えば、図２で示すように、スカートガードパネル１６に取付けられ吹き出し部２１から、搬送体１３を構成する踏み段１２の隙間ｘ近くの上面に、エアカーテン状の気体１９２を吹き付け、これを遮蔽体１９としてもよい。
【００２１】
このように構成した場合、吹き出し部２１から噴出されたエアカーテン状の気体１９２により、利用者の被挟まれ物を強制的に排除することができ、エスカレータ利用者１５の安全性を確保できる。
【００２２】
また、挟まれ防止装置１８の遮蔽体１９としては、図３で示すものを用いることができる。図３の遮蔽体１９は、上端部がホルダー２２によりスカートガードパネル１６に取付けられ、下端部の側面が、隙間ｘ内において、搬送体１３を構成する踏み段１２の側面に接するように配置されたブラシなどの弾性体１９３を用いる。
【００２３】
このように構成した場合、ブラシなどの弾性体１９３により、挟まれ部の隙間ｘがなくなるため、利用者の被挟まれ物が隙間ｘに挟み込まれることはなく、エスカレータ利用者の安全性を確保できる。
【００２４】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００２５】
１１…乗客コンベア
１２…踏み段
１３…搬送体
１５…乗客（利用者）
１６…スカートガードパネル
１８…挟まれ防止装置
１９…遮蔽体
１９１，１９３…ブラシなどの弾性体
１９２…エアカーテン状の気体
２０，２２…ホルダー
２１…吹き出し部
ｘ…隙間
【図１】
2019094152.tif 000003
【図２】
2019094152.tif 000004
【図３】
2019094152.tif 000005
【手続補正書】
【提出日】平成30年12月13日(2018.12.13)
【手続補正１】
【補正対象書類名】明細書
【補正対象項目名】０００９
【補正方法】変更
【補正の内容】
【０００９】
本発明の実施の形態に係る乗客コンベアは、複数の踏み段を無端状に連結して帯状に構成され、この帯状の長さ方向に駆動される搬送体と、この搬送体の両側にそれぞれ立設され、それぞれ前記搬送体の長さ方向に沿って配置されるスカートガートパネルと、このスカートガートパネルの、前記搬送体の上面より上方に、この搬送体の全長に渡って設けられ、この搬送体の側面と前記スカートガートパネルとの間の隙間を覆う遮蔽体を有する挟まれ防止装置とを備え、前記遮蔽体は、上端部が前記スカートガードパネルに取付けられ、下端部が前記搬送体の側部上面に接する弾性体であることを特徴とする。
【手続補正２】
【補正対象書類名】特許請求の範囲
【補正対象項目名】全文
【補正方法】変更
【補正の内容】
【特許請求の範囲】
【請求項１】
複数の踏み段を無端状に連結して帯状に構成され、この帯状の長さ方向に駆動される搬送体と、
この搬送体の両側にそれぞれ立設され、それぞれ前記搬送体の長さ方向に沿って配置されるスカートガートパネルと、
このスカートガートパネルの、前記搬送体の上面より上方に、この搬送体の全長に渡って設けられ、この搬送体の側面と前記スカートガートパネルとの間の隙間を覆う遮蔽体を有する挟まれ防止装置とを備え、
前記遮蔽体は、上端部が前記スカートガードパネルに取付けられ、下端部が前記搬送体の側部上面に接する弾性体であることを特徴とする乗客コンベア。
【請求項２】
複数の踏み段を無端状に連結して帯状に構成され、この帯状の長さ方向に駆動される搬送体と、
この搬送体の両側にそれぞれ立設され、それぞれ前記搬送体の長さ方向に沿って配置されるスカートガートパネルと、
このスカートガートパネルの、前記搬送体の上面より上方に、この搬送体の全長に渡って設けられ、この搬送体の側面と前記スカートガートパネルとの間の隙間を覆う遮蔽体を有する挟まれ防止装置とを備え、
前記遮蔽体は、前記スカートガードパネルに取付けられた吹き出し部から前記搬送体の側部上面に気吹き付けられ、利用者の被挟まれ物を強制的に排除するエアカーテン状の気体であることを特徴とする乗客コンベア。
【請求項３】
複数の踏み段を無端状に連結して帯状に構成され、この帯状の長さ方向に駆動される搬送体と、
この搬送体の両側にそれぞれ立設され、それぞれ前記搬送体の長さ方向に沿って配置されるスカートガートパネルと、
このスカートガートパネルの、前記搬送体の上面より上方に、この搬送体の全長に渡って設けられ、この搬送体の側面と前記スカートガートパネルとの間の隙間を覆う遮蔽体を有する挟まれ防止装置とを備え、
前記遮蔽体は、上端部が前記スカートガードパネルに取付けられ、下端部の側面が、前記隙間内において前記搬送体の側面に接するように配置された弾性体であることを特徴とする請求項１に記載の乗客コンベア。